(57)【特許請求の範囲】
【請求項１】
上位装置から画像読み取り開始と押印指示及び押印位置指定が送信されると原稿を読み取る読み取り手段と、
前記上位装置からの押印指示により、読み取り手段による前記原稿の読み取りが終了したことを示す読み取り終了確認を押印する押印手段と、
前記押印手段による押印を行う際に、上位装置で指定された押印位置に画像情報が存在するか否を検知する検知手段と、
前記検知手段で指定された押印位置に画像情報が存在しないことを検知した場合に押印手段により指定された押印位置に押印を行わせ、検知手段で指定された押印位置に画像情報が存在することを検知した場合に押印手段による押印を行わせない押印制御手段と、
前記読み取り手段により読み取られた原稿を、押印された原稿と押印されない原稿とを分けて排紙する排紙手段とを有することを特徴とする読み取り装置。
【請求項２】
前記排紙手段は、複数の排紙ビンにより構成され、前記押印された原稿と前記押印されない原稿とを前記複数の排紙ビンの異なる位置に振り分けて排紙することを特徴とする請求項１記載の読み取り装置。
【請求項３】
前記排紙手段は、左右振り分け方式により構成され、前記押印された原稿と前記押印されない原稿とを左右に振り分けて排紙することを特徴とする請求項１記載の読み取り装置。
【発明の詳細な説明】
【０００１】
【発明の属する技術分野】
本発明は、読み取り装置に関し、特に読み取り動作の終了を示す押印を行うエンドーサ機能を備える読み取り装置に関する。
【０００２】
【従来の技術】
従来のエンドーサ機能（読み取り確認押印処理）を備える読み取り装置は、ユーザにより予め指定された位置に原稿の読み取りが終了したことを示す押印を行うものが知られている。
【０００３】
【発明が解決しようとする課題】
しかしながら、上記従来例に示されるエンドーサ機能を備える読み取り装置においては、ユーザにより予め指定された位置に押印を行うように制御されているので、押印予定の領域に画像情報が存在する場合でも押印処理を行ってしまうことにより、排紙された原稿において押印が画像情報に重畳した状態で排紙されたり、また、全面が真っ黒の画像情報である場合には、どの位置に押印が成されたのかを確認できないという問題があった。
【０００４】
本発明の第１の目的は、上位装置から指定された押印位置に画像情報が存在する場合に、押印を行わないように制御する読み取り装置を提供することにある。
【０００６】
本発明の第２の目的は、押印処理された原稿と押印処理されない原稿とを分けて排紙するように制御する読み取り装置を提供することにある。
【０００７】
【課題を解決するための手段】
前記課題を解決するために、請求項１記載の発明は、上位装置から画像読み取り開始と押印指示及び押印位置指定が送信されると原稿を読み取る読み取り手段と、上位装置からの押印指示により、読み取り手段による原稿の読み取りが終了したことを示す読み取り終了確認を押印する押印手段と、押印手段による押印を行う際に、上位装置で指定された押印位置に画像情報が存在するか否を検知する検知手段と、検知手段で指定された押印位置に画像情報が存在しないことを検知した場合に押印手段により指定された押印位置に押印を行わせ、検知手段で指定された押印位置に画像情報が存在することを検知した場合に押印手段による押印を行わせない押印制御手段と、読み取り手段により読み取られた原稿を、押印された原稿と押印されない原稿とを分けて排紙する排紙手段とを有することを特徴とする。
【００１１】
請求項２記載の発明は、請求項１記載の発明において、排紙手段は、複数の排紙ビンにより構成され、押印された原稿と押印されない原稿とを複数の排紙ビンの異なる位置に振り分けて排紙することを特徴とする。
【００１２】
請求項３記載の発明は、請求項１記載の発明において、排紙手段は、左右振り分け方式により構成され、押印された原稿と押印されない原稿とを左右に振り分けて排紙することを特徴とする。
【００１３】
【発明の実施の形態】
次に、添付図面を参照して本発明の実施形態である読み取り装置を詳細に説明する。図１から図３を参照すると、本発明による読み取り装置の実施の形態が示されている。
【００１４】
図１は、本発明の実施形態である読み取り装置の概略構成を示すブロック図である。図１において、本発明の実施形態である読み取り装置１００は、ＣＰＵ１と、ＳＣＳＩインタフェース制御部２と、画像読み取り制御部３と、エンドーサ（押印処理制御部）４と、ＲＯＭ５と、ＲＡＭ６と、排紙トレイシフト制御部７と、を有して構成される。
【００１５】
ＣＰＵ１は、読み取り装置１００全体を制御する。ＳＣＳＩインタフェース制御部２は、図示されない上位装置であるＰＣとの接続を司り、画像読み取り制御部３からの指示に基づいて読み取った読み取り画像をＰＣに転送したり、ＰＣからの各種制御コードを入力するためのインタフェースである。
【００１６】
画像読み取り制御部３は、ＣＰＵ１からの指示により、ＣＣＤ等の読み取り機構により原稿上の画像情報を読み取り、内部で処理可能な画像データへの変換処理を行う。
【００１７】
エンドーサ（押印処理制御部）４は、ＣＰＵ１からの指示により、ユーザにより指定された位置に原稿の読み取り終了確認を示す押印処理を制御する。
【００１８】
ＲＯＭ５は、ＣＰＵ１により読み取り装置１００を制御するためのプログラムが格納されている。ＲＡＭ６は、読み取り装置１００内での各種作業領域および画像読み取り制御部３からの指示により読み取った画像情報を一時的に格納する領域である。
【００１９】
排紙トレイシフト制御部７は、ＣＰＵ１からの指示により、原稿の排紙トレイを左右にシフトあるいは複数の排紙ビンが備えられた排紙機構においては、その排紙位置を上下にシフトさせて排紙するための制御を行う。
【００２０】
図２は、本発明の第１の実施形態である読み取り装置１００の動作例を示すフローチャートである。図２において、図示されないＰＣから画像読み取り開始、押印指示、押印位置指定、のそれぞれが送信されると（ステップＳ１）、読み取り装置１００のＳＣＳＩインタフェース制御部２で受信し、読み取り動作を開始する（ステップＳ２）。
【００２１】
読み取り動作を開始すると、原稿を１ラインずつ読み取り（ステップＳ３）、１ライン読み取る毎にラインカウンタをカウントアップする（ステップＳ４）。ＰＣにより指定された押印位置の領域に到達したか否かを判断し（ステップＳ５）、押印位置の領域外である場合には、１ライン読み取った原稿のデータをＰＣに送信する（ステップＳ１１）。
【００２２】
ステップＳ５において、押印位置の領域内である場合には（ステップＳ５／ＹＥＳ）、押印不可フラグが立っているか否かを判断し（ステップＳ６）、押印不可フラグが立っている状態であれば（ステップＳ６／ＯＮ）、１ライン読み取った原稿のデータをＰＣに送信する（ステップＳ１１）。
【００２３】
ステップ６において、押印不可フラグが立っていない場合には（ステップＳ６／ＯＦＦ）、１ラインずつ画像情報をチェックし（ステップＳ７）、画像情報が存在するか否かを判断する（ステップＳ８）。画像情報が存在する場合には（ステップＳ８／有）、押印処理が行えないので、押印不可フラグをセットして（ステップＳ１４）、１ライン読み取った原稿のデータをＰＣに送信する（ステップＳ１１）。
【００２４】
ステップＳ８において、画像情報が存在しないと判断された場合には（ステップＳ８／無）、押印位置領域の最終ラインであるか否かが確認され（ステップＳ９）、最終ラインであれば（ステップＳ９／ＹＥＳ）、エンドーサ（押印処理制御部）４による押印処理を行い（ステップＳ１５）、１ライン読み取った原稿のデータをＰＣに送信する（ステップＳ１１）。
【００２５】
ステップＳ９において、押印位置領域の最終ラインでない場合には（ステップＳ９／ＮＯ）、押印不可フラグをセットして（ステップＳ１０）、１ライン読み取った原稿のデータをＰＣに送信する（ステップＳ１１）。
【００２６】
ステップＳ１１において、１ライン読み取った原稿のデータをＰＣに送信すると、読み取った原稿が最終原稿であるか否かが確認され（ステップＳ１２）、最終原稿でなければ（ステップＳ１２／ＮＯ）、ステップＳ３に戻り、上述される処理を行う。
【００２７】
ステップＳ１２において、最終原稿である場合には（ステップＳ１２／ＹＥＳ）、排紙トレイシフト制御部７により、押印処理された原稿と押印処理されていない原稿とを振り分けて排紙するように制御し、排紙処理を行う（ステップＳ１３）。
【００２８】
本発明の第１の実施形態によれば、押印指定された領域に画像情報が存在する場合には、押印処理を行わないように制御し、押印処理された原稿と押印処理されていない原稿とを振り分けて排紙することができるので、画像情報に重畳して押印処理が行われることを防止することができると共に、ユーザによる後処理の負担を大幅に軽減することができる。
【００２９】
図３は、本発明の第２の実施形態である読み取り装置１００の動作例を示すフローチャートである。図３において、図示されないＰＣから画像読み取り開始、押印指示、押印位置指定、のそれぞれが送信されると（ステップＳ２１）、読み取り装置１００のＳＣＳＩインタフェース制御部２で受信し、読み取り動作を開始する（ステップＳ２２）。
【００３０】
読み取り動作を開始すると、原稿を１ラインずつ読み取り（ステップＳ２３）、１ライン読み取る毎にラインカウンタをカウントアップする（ステップＳ２４）。ＰＣにより指定された押印位置の開始領域に到達したか否かを判断し（ステップＳ２５）、押印位置の開始領域でない場合には（ステップＳ２５／ＮＯ）、１ライン読み取った原稿のデータをＰＣに送信する（ステップＳ３３）。
【００３１】
ステップＳ２５において、押印位置の開始領域である場合には（ステップＳ２５／ＹＥＳ）、押印完了フラグが立っているか否かを判断し（ステップＳ２６）、押印完了フラグが立っている状態であれば（ステップＳ２６／ＹＥＳ）、１ライン読み取った原稿のデータをＰＣに送信する（ステップＳ３３）。
【００３２】
ステップ２６において、押印完了フラグが立っていない場合には（ステップＳ２６／ＮＯ）、１ラインずつ画像情報をチェックし（ステップＳ２７）、画像情報が存在する場合には（ステップＳ２７／有）、押印ライン幅のカウントをクリアして（ステップＳ２９）、１ライン読み取った原稿のデータをＰＣに送信する（ステップＳ３３）。
【００３３】
ステップＳ２７において、画像情報が存在しないと判断された場合には（ステップＳ２７／無）、押印ライン幅のカウントをアップし（ステップＳ２８）、押印ライン幅を確保できるか否かを判断する（ステップＳ３０）。押印ライン幅を確保できない場合には（ステップＳ３０／ＮＯ）、１ライン読み取った原稿のデータをＰＣに送信する（ステップＳ３３）。
【００３４】
ステップＳ３０において、押印ライン幅を確保できる場合には（ステップＳ３０／ＹＥＳ）、エンドーサ（押印処理制御部）４による押印処理を行い（ステップＳ３１）、押印処理が終了したことを示す押印完了フラグをセットして（ステップＳ３２）、１ライン読み取った原稿のデータをＰＣに送信する（ステップＳ３３）。
【００３５】
ステップＳ３３において、１ライン読み取った原稿のデータがＰＣに送信されると、最終原稿であるか否かが判断され（ステップＳ３４）、最終原稿でなければ、ステップＳ２３に戻り、上述される処理を行う。
【００３６】
ステップＳ３４において、最終原稿である場合には、排紙トレイシフト制御部７により、押印処理された原稿と押印処理されていない原稿とを振り分けて排紙するように制御し、排紙処理を行う（ステップＳ３５）。
【００３７】
本発明の第２の実施形態によれば、押印指定された領域に画像情報が存在する場合には、押印指定された領域以外の領域にて押印処理可能な位置を検出して押印処理するので、確実に押印処理を行うことができ、また、検出した結果、押印可能な位置が無い場合には押印処理を行わないように制御し、押印処理された原稿と押印処理されていない原稿とを振り分けて排紙することができるので、画像情報に重畳して押印処理が行われることを防止することができると共に、ユーザによる後処理の負担を大幅に軽減することができる。
【００３８】
【発明の効果】
以上の説明より明らかなように、請求項１記載の発明によれば、ユーザにより指定された押印位置の領域において、画像情報が存在するか否かを検知し、画像情報が存在する場合には、押印処理を行わないように制御するので、画像情報に重畳して押印処理が行われることを防止することができる。
【００４１】
また、押印処理された原稿と押印処理されていない原稿とを分けて排紙することにより、ユーザの後処理の負担を大幅に軽減することができる。
【００４２】
この原稿を排紙する排紙手段を、複数の排紙ビンにより排出段を構成することにより、押印処理された原稿と押印処理されていない原稿とを複数の排紙ビンの異なる位置に振り分けて排紙するので、ユーザの後処理の負担を大幅に軽減することができる。
【００４３】
また、排紙手段の排紙段を左右振り分け方式により構成することにより、押印処理された原稿と押印処理されていない原稿とを左右に振り分けて排紙するので、ユーザの後処理の負担を大幅に軽減することができる。
【図面の簡単な説明】
【図１】本発明の実施形態である読み取り装置の概略構成を示すブロック図である。
【図２】本発明の第１の実施形態の動作例を示すフローチャートである。
【図３】本発明の第２の実施形態の動作例を示すフローチャートである。
【符号の説明】
１  ＣＰＵ
２  ＳＣＳＩインタフェース制御部
３  画像読み取り制御部
４  エンドーサ（押印処理制御部）
５  ＲＯＭ
６  ＲＡＭ
７  排紙トレイシフト制御部
１００  読み取り装置
【図１】
0003798165.tif 000002
【図２】
0003798165.tif 000003
【図３】
0003798165.tif 000004